(57)【要約】【課題】  ユニットバス設備において、浴室壁背面側の給湯及び／又は給水配管の点検を容易に行うことができ、且つ浴室内部の収納性も向上できる浴室壁収納構造を提供すること。【解決手段】  浴室壁１の背面側に給湯及び／又は給水側から延びる配管と水栓等、水廻り設備に向かう配管との接続部を設け、同接続部に対向する浴室壁面に点検口２を設け、かつこの点検口２に着脱自在な蓋兼用とした前面開放の収納箱３を配設して、浴室壁面の点検口２から、当該浴室壁１背面側の給湯及び／又は給水側から延びる配管と水栓等、水廻り設備に向かう配管との接続部の点検ができるように構成する。【選択図】図１
2006061334.tif 000002
【特許請求の範囲】
【請求項１】
浴室壁の背面側に給湯及び／又は給水側から延びる配管と水栓等、水廻り設備に向かう配管との接続部を設け、同接続部に対向する浴室壁面に点検口を設け、かつこの点検口に着脱自在な蓋兼用とした前面開放の収納箱を配設してなる浴室壁収納構造。
【請求項２】
前記収納箱を、前方に着脱または開閉自在な鏡を有するミラーキャビネットとし、前記点検口に埋設したことを特徴とする請求項１に記載の浴室壁収納構造。
【請求項３】
前記ミラーキャビネットは、前記鏡を水平または垂直方向にスライドさせて開閉可能となるよう設けて成ることを特徴とする請求項２に記載の浴室壁収納構造。
【発明の詳細な説明】
【技術分野】
【０００１】
本発明は浴室壁収納構造に関し、特に浴室壁背面側の給湯及び／又は給水配管の点検を容易に行うことのできる浴室壁収納構造に関する。
【背景技術】
【０００２】
従来から、ユニットバス設備には浴槽等に設けられる、浴室内水廻り設備への給湯および給水配管の水漏れトラブルへの対応のし易さが要望されている。この要望に対し、本出願人は、特開平７−２３３５４５号公報として開示されている、図５に示すような、給湯及び給水側から延びる配管に接続される第１の接続口１０２と、水廻り設備に配管を介して接続される第２の接続口１０３とを有するヘッダー１０４を備えた給湯・給水装置が、浴室壁面内部に収納され、この給湯・給水装置に対向する浴室壁面１００には点検口１０１が設けられ、かつこの点検口１０１に蓋兼用とした着脱又は開閉自在なミラーキャビネットが配設されて成る浴室用配管構造を提案している。
【０００３】
しかしながら、この構成では、浴室の浴槽、洗い場あるいは脱衣所等の化粧洗面台や洗濯機、さらにトイレの水洗便器や手洗い器、キッチンのシンクに設置される混合栓、すなわち住宅等の建物に設けられる、各種の水廻り設備に湯水を供給するための給湯及び給水側と配管により接続するヘッダー１０４を備えた給湯・給水装置を配設するようになっているので点検口１０１が大型化し、蓋兼用とする着脱又は開閉自在なミラーキャビネットも大型化することとなる。これにより、給水配管の水漏れトラブル発見のために、蓋兼用のミラーキャビネットを着脱や開閉させ点検口を開口する作業に、少なくとも二人程度の人手が必要となる。したがって、配管点検の容易性に関しては十分とは言えない。
【特許文献１】特開平７−２３３５４５号公報
【発明の開示】
【発明が解決しようとする課題】
【０００４】
本願発明は、上記背景技術に鑑みてなされたものであり、その課題は、ユニットバス設備において、浴室壁背面側の給湯及び／又は給水配管の点検を容易に行うことができ、且つ浴室内部の収納性も向上できる浴室壁収納構造を提供することである。
【課題を解決するための手段】
【０００５】
上記課題を解決するために、本願発明による浴室壁収納構造は、浴室壁の背面側に給湯及び／又は給水側から延びる配管と水栓等、水廻り設備に向かう配管との接続部を設け、同接続部に対向する浴室壁面に点検口を設け、かつこの点検口に着脱自在な蓋兼用とした前面開放の収納箱を配設して成ることを特徴としている。
【０００６】
そして、前記収納箱を、前方に着脱または開閉自在な鏡を有するミラーキャビネットとし、前記点検口に埋設するのが好ましい。
【０００７】
また、前記ミラーキャビネットは、前記鏡を水平または垂直方向にスライドさせて開閉可能となるよう設けて成ることが好ましい。
【発明の効果】
【０００８】
本願発明の浴室壁収納構造は、蓋兼用とした着脱自在な前面開放の収納箱の配設される浴室壁面点検口から、浴室壁の背面側に給湯及び／又は給水側から延びる配管と水栓等、水廻り設備に向かう配管との接続部の点検ができるので、浴室壁背面側の給湯及び／又は給水配管の点検を容易に行うことができ、且つ浴室内部の収納性も向上できるユニットバス設備が得られる。
【０００９】
そして、その浴室壁面の点検口に配設される蓋兼用とした着脱自在な前面開放の収納箱が、該点検口に埋設されて前方に着脱または開閉自在な鏡の設けられたミラーキャビネットとなり、浴室壁の美観において優れる。
【００１０】
また、浴室壁面の点検口に配設される、ミラーキャビネットにて形成された蓋兼用とした着脱自在な前面開放の収納箱前方の鏡が、水平または垂直方向にスライドさせて開閉されるものとなり、簡単な構成において使い勝手の良いものとなる。
【発明を実施するための最良の形態】
【００１１】
本発明の上記および他の効果、特徴および利点を明確にすべく、添付した図面を参照しながら、本発明の実施の形態を以下に詳述する。
【００１２】
図１を参照すると、本願発明の請求項１に対応した第１の実施例としての浴室壁収納構造が示されている。同図において（ａ）および（ｂ）は収納箱の浴室壁に設けられた正面図及び側面図、（ｃ）は背面図である。図２〜４は、本願発明の請求項２、３に対応した浴室壁収納構造の第２の実施例が示されている。
【００１３】
この実施例の浴室壁収納構造は、浴室壁１の背面側に給湯及び給水側から延びる配管と水栓等、水廻り設備に向かう配管との接続部（図示せず）を設け、同接続部に対向する浴室壁面に点検口２を設け、かつこの点検口２に着脱自在な蓋兼用とした前面開放の収納箱３を配設して成る。
【００１４】
浴室壁１は、この場合、ユニットバス設備を構成するもので、浴室壁１とその背面側には、図示していない住宅の躯体壁との間に空間が形成されている。この空間内には、当該ユニットバス設備内部に設けられる混合水栓等、水廻り設備に向かう配管と、給湯及び給水側上流に連通する給湯、及び給水配管との図示していない接続部となる継手が設けられ、この継手に対向する浴室壁面に、点検口２となる所定の大きさをもった四角状の開口と、後述する収納箱３を取付ける同開口周囲の６つのねじ孔とが形成されている。
【００１５】
収納箱３は、例えば熱を逃がさず暖かい肌触りのＦＲＰ素材を使用し、この場合、図１（ａ）に示すように、前面開放とした２つの収納凹所３１、３１周囲に、上記ねじ孔と対応する箇所に６つの取付け孔３３の穿設された鍔部３２を有し、さらに収納凹所３１、３１を隔てる隔壁３４が、その鍔部３２と一体となるよう収納箱３底面から湾曲形成されている。したがって、収納箱３内部の２つの収納凹所３１において浴用小物（シャンプー、リンスなど）の納まりが良く、容易に強度も向上できて使用性において優れる。また、鍔部３２の背面全周には、シリコンゴムなどにて形成される防水パッキン４を貼着させており、点検口２に配設した状態における浴室壁面の防水性を確保するようにしている。
【００１６】
かかる浴室壁収納構造においては、蓋兼用とした着脱自在な前面開放の収納箱３が、浴室壁面の点検口２に浴室側から配設され、図１（ｂ）に示すように取付け孔３３に取付けネジ５を挿通させて、上記浴室壁１の６つのねじ孔に螺合させて取付けられ埋設される。そして、浴室壁１の背面側の給湯及び給水側から延びる配管と水栓等、水廻り設備に向かう配管との接続部となる継手の状態を点検するときには、上記取付けネジ５を外し点検口２を開口させて浴室壁１背面側の状態を確認するのである。
【００１７】
したがって、以上説明した浴室壁収納構造によると、蓋兼用とした着脱自在な前面開放の収納箱３の配設される浴室壁面の点検口２から、浴室壁１の背面側に給湯及び給水側から延びる配管と水栓等、水廻り設備に向かう配管との接続部の点検ができることとなっているので、浴室壁１背面側の給湯及び給水配管の点検を容易に行うことができ、且つ浴室内部の収納性も向上できるという効果がもたらされる。
【００１８】
次に、第２の実施例である浴室壁収納構造に関して、図２〜図４を用いて詳細に説明する。この実施例の浴室壁収納構造は、前記収納箱３を、前方に着脱または開閉自在な鏡６を有するミラーキャビネット３’とし、前記点検口２に埋設している。また、前記ミラーキャビネット３’は、前記鏡６を水平または垂直方向にスライドさせて開閉可能となるよう設けてもいる。
【００１９】
図２（ａ）は、収納箱３前面に鏡６を位置させ、収納箱３の前面開口を塞いだ状態のミラーキャビネット、同図（ｂ）は、当該ミラーキャビネットの鏡６を左横にスライドし開放させて収納箱３内部が見えた状態を示している。図３（ａ）は、収納箱３前面の鏡６において鏡本体８を載置方法を示した一実施例の側面断面図、同図（ｂ）は、（ａ）に示すＡ部の拡大図、図４は、鏡６を水平方向にスライドさせる一実施例の説明図である。
【００２０】
ミラーキャビネット３’は、前記収納箱３の鍔部３２上下に、その上下面にガイド溝をもった硬質ゴム製の長尺状スライドレール３５をそれぞれ配設し、前方に開閉自在な鏡６を有する構成とし、上記点検口２に埋設している。この場合、鏡６は、鏡本体８が、上記スライドレール３５のガイド溝を介して当該スライドレール３５にスライド自在に係止される板状のガイド板７前面に固着されて形成され、同鏡６全体が水平方向にスライドされて開閉可能となるよう設けられている。
【００２１】
ガイド板７は、平板部７１の上下に鏡本体８の上下端部を狭着させる溝を形成する狭着片７２を一体に有した、例えばアルミニウム材料による押出し成形部材で、その背面上下に、スライドレール３５に対応する上記ガイド溝を把持させる長尺状の把持片７３が固着されて形成されている。
【００２２】
この場合、図４（ａ）に示すように、スライドレール３５の一端には、鏡６の脱落を防止するストッパー３６が設けられており、これにより、同図（ｂ）に示すように鏡６全体を水平方向にスライドさせる開閉使用時において、当該ストッパー３６が上記把持片７３のスライド位置を規制し、鏡６全体が収納箱３から離脱し落下しないようにして使用面での安全性を配慮したものとしている。
【００２３】
鏡本体８は、この場合、図３（ａ）に示すようにして、ガイド板７前面に下側の狭着片７２に載置され、上側の狭着片７２にて係止されて狭着される寸法を有して成る。また、ガイド板７背面の把持片７３は、同図（ｂ）に示すように、ガイド板７の平板部７１に前側からねじ固定される。図においてスライドレール３５が収納箱３の鍔部３２に固定されている状態を示しており、簡単な構成において鏡６全体を横方向にスライド移動操作できるようにしている。
【００２４】
かかる浴室壁収納構造においては、まず、ミラーキャビネット３’を構成する収納箱３が、浴室壁面の点検口２に浴室側から同様に取付けネジ５を用いて浴室壁１取付けられて埋設され、次いで、図３（ａ）に示すように、ガイド板７がスライドレール３５に装着された後、さらに鏡本体８がガイド板７の上下の狭着片７２に狭着係止される。このように鏡６を収納箱３の前方に配設し、開閉容易とすることにより、浴用小物（シャンプー、リンスなど）を収納し隠すことができ、浴室全体の美観に優れ使用勝手も向上する。また、浴室壁１の背面側の点検するときには、まず、鏡６全体をスライドさせて収納箱３から離脱させた後、取付けネジ５を外して点検口２を開口させ、浴室壁１背面側の状態を確認するのである。
【００２５】
したがって、以上説明した浴室壁収納構造によると、その浴室壁面の点検口２に配設される蓋兼用とした着脱自在な前面開放の収納箱３が、該点検口２に埋設されて前方に着脱または開閉自在な鏡６の設けられたミラーキャビネット３’となり、浴室壁の美観において優れる。
【００２６】
また、浴室壁面の点検口２に配設される、ミラーキャビネット３’にて形成された蓋兼用とした着脱自在な前面開放の収納箱３前方の鏡６が、水平または垂直方向にスライドさせて開閉されるものとなり、簡単な構成において使い勝手の良いものとなる。
【００２７】
なお、本発明は上記各実施例に限定されず、本発明の技術思想の範囲内において、各実施例は適宜変更され得ることは明らかである。
【図面の簡単な説明】
【００２８】
【図１】本願発明の浴室壁収納構造の、第１の実施例の概略構成を示し、（ａ）および（ｂ）は収納箱の浴室壁に設けられた正面図及び側面図、（ｃ）は収納箱背面図である。
【図２】本願発明の浴室壁収納構造の、第２の実施例であるミラーキャビネットの説明図である。
【図３】同浴室壁収納構造のミラーキャビネットにおける収納箱への鏡の設置状態を示し、（ａ）は収納箱に鏡の配設状態を示した一実施例の側面断面図、同図（ｂ）は（ａ）に示すＡ部の拡大図である。
【図４】同浴室壁収納構造の鏡を水平方向にスライドさせる一実施例の説明図である。
【図５】従来例の浴室壁収納構造である点検口全体を示す説明図。
【符号の説明】
【００２９】
１      浴室壁
２      点検口
３      収納箱
３’    ミラーキャビネット
６      鏡
【図１】
2006061334.tif 000003
【図２】
2006061334.tif 000004
【図３】
2006061334.tif 000005
【図４】
2006061334.tif 000006
【図５】
2006061334.tif 000007